(57)【要約】【課題】  カードがコネクタのスロットに斜めに挿入される状態といった正しくない挿入状態を検出する電子機器を提供する。【解決手段】  基板に取付けられたコネクタと、このコネクタに挿入されるカードと、前記コネクタのスロットの底部の一端にある第1のカード検出手段と、前記スロットの底部の他端にある第２のカード検出手段と、これら２つの検出手段の信号を受け前記カードが前記スロットに正しく挿入されていることを検出するコントローラとを備えたことを特徴とする電子機器。【選択図】      図４
2007087072.tif 000002
【特許請求の範囲】
【請求項１】
基板に取付けられたコネクタと、
このコネクタに挿入されるカードと、
前記コネクタのスロットの底部の一端にある第1のカード検出手段と、
前記スロットの底部の他端にある第２のカード検出手段と、
これら２つの検出手段の信号を受け前記カードが前記スロットに正しく挿入されていることを検出するコントローラとを
備えたことを特徴とする電子機器。
【請求項２】
前記コントローラは前記第1のカード検出手段と前記第２のカード検出手段の信号が共にカード検出との結果の場合にのみ、前記カードがスロットに正しく挿入されていると検出することを特徴とする請求項１に記載の電子機器。
【請求項３】
基板に取付けられたコネクタと、
このコネクタに挿入されるカードと、
前記コネクタのスロットの底部の一端にある第1のカード検出手段と、
前記スロットの底部の他端にある第２のカード検出手段と、
これら２つの検出手段の信号を受け前記カードが前記スロットに正しく挿入されていることを検出するコントローラとを
備え前記コントローラはこの検出結果に基づいて前記カードへの電源供給を行うことを特徴とする電子機器。
【請求項４】
基板に取付けられたコネクタと、
このコネクタに挿入されるカードと、
前記コネクタのスロットの底部の一端にある第1のカード検出手段と、
前記スロットの底部の他端にある第２のカード検出手段と、
これら２つの検出手段の信号を受け前記カードが前記スロットに正しく挿入されていることを検出するコントローラとを
備え前記コントローラはこの検出結果に基づいて前記カードへの活線挿抜を行うことを特徴とする電子機器。
【請求項５】
基板に取付けられたコネクタと、
このコネクタに挿入されるカードと、
前記コネクタのスロットの底部でかつ前記カードの幅方向の一端に対向する位置に配置された第1のカード検出手段と、
前記スロットの底部でかつ前記カードの幅方向の前記一端と反対側の一端に対向する位置に配置された第２のカード検出手段と、
これら２つの検出手段の信号を受け前記カードが前記スロットに正しく挿入されていることを検出するコントローラとを
備えたことを特徴とする電子機器。
【発明の詳細な説明】
【技術分野】
【０００１】
本発明は、電子機器に係り、特に、カードを挿抜するコネクタのスロットを備えた電子機器に関する。
【背景技術】
【０００２】
パーソナルコンピュータやサーバーといった電子機器では、基板等における必要機能、性能の実装方法として、その機能、性能を担うカードを基板上のコネクタのスロットへ挿入することが行われている。カードを対応するスロットへ挿入する場合には正しく挿入する必要がある。しかし実際には、カードがスロットの奥まで入らない、あるいはカードがスロットに斜めに挿入されることがある。このときカードは例えスロットから電源供給が行われたとしても動作が不安定であり必要な機能、性能を発揮できない場合があり、更にカード等の回路への異常なストレスにより回路寿命の短縮を招く可能性があり、正しく挿入されているか否かを検出できることが望ましい。更には、検出結果に基づいてカードが正しく実装されていないことによって接触不良やショートを起こしている場合に電源および信号を流さないようすることが求められる。
【０００３】
例えば特開平８−２０２４７４号公報（特許文献１）によるものは、システム本体とモジュールをつなぐコネクタ部に関わるものであるが、スイッチ等の挿抜検出手段と完全な挿入の検出手段との２段階の検出手段を有し、この２つの検出手段の検出状態の組合わせにより電源供給を制御しようとするものである。
【０００４】
即ちこの従来の電子機器においては、検出対象として挿入の深さを２段階検出する機能を用いている。そこでは挿入の深さは２段階のいずれに関してもそれぞれの検出手段により１箇所でしか検出されていない。このため、本発明で着目するカードがスロットに斜めに挿入される状態といった箇所によって挿入の深さが異なるような、正しくない挿入状態を検出することができなかった。
【特許文献１】特開平８−２０２４７４号公報（第５頁、図１）
【発明の開示】
【発明が解決しようとする課題】
【０００５】
本発明は、カードがコネクタのスロットに斜めに挿入される状態といった正しくない挿入状態を検出する電子機器を提供することを目的とする。
【課題を解決するための手段】
【０００６】
上記課題を解決するために、本発明の電子機器は、基板に取付けられたコネクタと、このコネクタに挿入されるカードと、前記コネクタのスロットの底部の一端にある第1のカード検出手段と、前記スロットの底部の他端にある第２のカード検出手段と、これら２つの検出手段の信号を受け前記カードが前記スロットに正しく挿入されていることを検出するコントローラとを備えたことを特徴とする。
【発明の効果】
【０００７】
本発明によれば、カードがコネクタのスロットに斜めに挿入される状態といった正しくない挿入状態を検出する電子機器が得られる。
【発明を実施するための最良の形態】
【０００８】
以下、本発明の実施例を説明する。
【実施例１】
【０００９】
本発明による電子機器の実施例１を図１乃至図７を参照して説明する。
図１は電子機器の例としてノートブック型パーソナルコンピュータ１０のディスプレイユニットを開いた状態における斜視図である。即ち、この電子機器は、ノートブック型パーソナルコンピュータ１０として実現されている。
【００１０】
本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれている。
【００１１】
ディスプレイユニット１２は、コンピュータ本体１１に対して開放位置と閉塞位置との間を回動自在に取り付けられている。コンピュータ本体１１は箱形の筐体を有しており、その上面にはキーボード１３、本コンピュータ１０を電源オン／オフするためのパワーボタン１４、入力操作パネル１５、およびタッチパッド１６などが配置されている。
【００１２】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、ＤＶＤ／ＣＤ起動ボタン１５Ｂも含まれている。ＴＶ起動ボタン１５Ａは、ＴＶ放送番組データの再生及び記録を行うためのＴＶ機能を起動するためのボタンである。ＴＶ起動ボタン１５Ａがユーザによって押下された時、ＴＶ機能を実行するためのＴＶアプリケーションプログラムが自動的に起動される。
【００１３】
本コンピュータにおいては、汎用の主オペレーティングシステムの他に、ＡＶ（オーディオ・ビデオ）データを処理するための専用の副オペレーティングシステムがインストールされている。ＴＶアプリケーションプログラムは、副オペレーティングシステム上で動作するプログラムである。
【００１４】
パワーボタン１４がユーザによって押下された時、主オペレーティングシステムが起動される。一方、ＴＶ起動ボタン１５Ａがユーザによって押下された時は、主オペレーティングシステムではなく、副オペレーティングシステムが起動され、そしてＴＶアプリケーションプログラムが自動的に実行される。副オペレーティングシステムはＡＶ機能を実行するための最小限の機能のみを有している。このため、副オペレーティングシステムのブートアップに要する時間は、主オペレーティングシステムのブートアップに要する時間に比べて遙かに短い。よって、ユーザは、ＴＶ起動ボタン１５Ａを押すだけで、ＴＶ視聴／録画を即座に行うことが出来る。
【００１５】
ＤＶＤ／ＣＤ起動ボタン１５Ｂは、ＤＶＤまたはＣＤに記録されたビデオコンテンツを再生するためのボタンである。ＤＶＤ／ＣＤ起動ボタン１５Ｂがユーザによって押下された時、ビデオコンテンツを再生するためのビデオ再生アプリケーションプログラムが自動的に起動される。このビデオ再生アプリケーションプログラムも、副オペレーティングシステム上で動作するアプリケーションプログラムである。ＤＶＤ／ＣＤ起動ボタン１５Ｂがユーザによって押下された時は、主オペレーティングシステムではなく、副オペレーティングシステムが起動され、そしてビデオ再生アプリケーションプログラムが自動的に実行される。
【００１６】
図２は、電子機器であるパーソナルコンピュータ１０の機能構成図である。
本コンピュータ１０は、図２に示されているように、ＣＰＵ１１１、ノースブリッジ１１２、主メモリ１１３、グラフィクスコントローラ１１４、ＣＰＵ１１１とノースブリッジ１１２と主メモリ１１３とから成るソフト処理部１１５、サウスブリッジ１１９、ＢＩＯＳ−ＲＯＭ１２０、ハードディスク／光ディスクドライブ（ＨＤＤ／ＤＶＤ）１２１、キャプチャーユニット１２２、およびエンベデッドコントローラ／キーボードコントローラ（ＥＣ／ＫＢＣ）１２３等を備えている。
【００１７】
ＣＰＵ１１１は本コンピュータ１０の動作を制御するために設けられたプロセッサであり、ハードディスク／光ディスクドライブ（ＨＤＤ／ＤＶＤ）１２１から主メモリ１１３にロードされる、主オペレーティングシステム／副オペレーティングシステム、および各種アプリケーションプログラムを実行する。
【００１８】
アプリケーションプログラムには、映像データをキャプチャーユニット１２２によって取り込む機能、代表として受信されたＴＶ放送番組データに含まれる映像データを高画質化するための機能を有している。
【００１９】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２０】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２１】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）１１４Ａに書き込まれた映像データからＬＣＤ１７に送出すべき表示信号を生成する。
【００２２】
サウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ／ＯＤＤ１２１を制御するためのＩＤＥ（Integrated
【００２３】
Drive Electronics）コントローラを内蔵している。さらに、サウスブリッジ１１９は、キャプチャーユニット１２２を制御する機能、およびＢＩＯＳ−ＲＯＭ１２０をアクセス制御するための機能も有している。
【００２４】
ＨＤＤ／ＯＤＤ１２１は、各種ソフトウェア及びデータをハードディスクに格納する記憶装置であり、またビデオコンテンツが格納されたＤＶＤ、ＣＤなどの記憶メディアを駆動するためのドライブユニットである。キャプチャーユニット１２２は、ＴＶ放送番組のような放送番組データを外部から受信することを代表的な機能とする装置である。
【００２５】
エンベデッドコントローラ／キーボードコントローラ（ＥＣ／ＫＢＣ）１２３は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラ（ＥＣ／ＫＢＣ）１２３は、ユーザによるパワーボタン１４の操作に応じて本コンピュータ１０をパワーオン／パワーオフする機能を有している。さらに、エンベデッドコントローラ／キーボードコントローラ（ＥＣ／ＫＢＣ）１２３は、ユーザによるＴＶ起動ボタン１５Ａ、ＤＶＤ／ＣＤ起動ボタン１５Ｂの操作に応じて、本コンピュータ１０をパワーオンすることもできる。
【００２６】
以下はコンピュータ１０におけるＰＣＩバス等上の各デバイスにおける、スロットへのカードの挿抜に関する。ＰＣＩバスにはキャプチャーユニット１２２の他にテレビジョン映像の視聴に用いるチューナユニットのようなものも接続される。またＰＣＩバス以外では、主メモリ１１３の増設等のために行われるバスのスロットへのカードの挿抜に関しても同様である。
【００２７】
図３は、電子機器の内部の基板２０１の上にカード増設用などのために実装されたスロット２０２と、スロット２０２に実装するカード２０３の概略斜視図である。カード２０３は例えば１ｍｍ程度の厚みを有している。
【００２８】
図３のＡ−Ａ'上方のスロット２０２の断面、カード２０３の表面を正面から見たものが図４である。スロット２０２の内部のスロット底部２０４にスイッチ２０５およびスイッチ２０６を配置し、カード２０３が奥まで実装されたことを検出する。スイッチがスロット底部２０４の両側２箇所にあることによって、カード２０３のスロット２０２への挿入部分であるカード接触部２０７が均等に正しく奥まで実装されたことを検出することができる。カード接触部２０７はカード２０３の両面に銅でパターン配線されその上に金メッキされた構成である。
【００２９】
図５は使用するスイッチの斜視図である。（a）はマイクロスイッチで(b)はタクトスイッチで、上部のアクチュエータとして前者はローラを後者は押しボタン状のものを用いられている。いずれもモーメンタリ動作形の、例えば押されている間だけONとなり押されなくなるとOFFに戻るタイプのものである。図４及び以降の説明ではマイクロスイッチを用いている。
【００３０】
図６はスイッチ部分の拡大図である。スロット２０２にカード接触部２０７を実装する。カード接触部２０７の先端部の位置をＣとすると、ｂがカード接触部２０７の実装可能な一番奥の部分（最深部）となる。スイッチ２０９はスイッチ２０５又はスイッチ２０６を表し、カード接触部２０７の先端部Ｃがａの位置まで来るとこれを検出することができる。スロット２０２の性質によってはカード接触部２０７の先端部Ｃがａの位置まで来れば良く、ａからｂの間は「あそび」部分となっているものもある。この場合はスイッチ２０９はカード接触部２０７の先端部Ｃがａの位置まで来ればこれを実質的に奥まで来たと検出することができ、ａからｂの位置までは引き続きこれを検出することができるものである。
【００３１】
図７はカード接触部２０７がスロット２０２の一番奥まで実装された状態を示す図である。スイッチ９はカード接触部２０７が一番奥まで実装されていることを検出している。
【００３２】
図８は本実施例の機能ブロック図である。スロット２１４はスロット２０２に対応し、スイッチ２１５はスイッチ２０５に又スイッチ２１６はスイッチ２０６に対応している。
【００３３】
スロット２１４と、スロット２１４に接続されている電源および信号を制御するコントローラ２１７に、スロット内部のスイッチ２１５およびスイッチ２１６が接続されている。スイッチ２１５およびスイッチ２１６が、スロット２１４にカード２０３が奥まで正しく実装されていることが検出されない場合、コントローラ２１７はスロット２１４に電源および信号を送信しない。このためスロット２１４にカードが正しく実装されていないことによって接触不良やショートを起こしている場合に電源および信号を流さないような安全装置として機能する。
【００３４】
本実施例の図４、図６および図７において、スイッチ２０５，２０６，２０９はボタン式のスイッチに限らず、例えばフォトダイオードを配置してカード接触部２０７の有無を検出する、といったようにスイッチ２０５，２０６，２０９の形状や機構は特に問わず、スイッチ２０５，２０６，２０９はカード接触部２０７を検出することができることができる機構に置き換えて別の実施例として構成してもよい。フォトダイオードを用いる例としては所謂フォトインタラプタの反射型のものを用いて、カード接触部２０７の端がスロット底部２０４に近接することを検知するように構成してもよい。
【００３５】
図８において、スロット２１４に接続されている電源および信号の規格として活線挿抜が可能である場合（たとえばＰＣＩのホットプラグ機能）、コントローラ２１７がスイッチ２１５およびスイッチ２１６を検出することによって活線挿抜機構として使用することができる。
【００３６】
以下２つの場合に関して動作を説明する。
安全装置として使用する場合：
コントローラ２１７が、リセット信号Enable時にスロット２１４への出力を一切停止させるような仕様であればスイッチ２１５および２１６の結果をANDしてコントローラ２１７のリセット信号とすることによって検出し、スイッチ２１５または２１６が解放されている時はスロット２１４への出力が停止される。つまり、スイッチの結果をリセット信号に使用する。
【００３７】
活線挿抜機構として使用する場合：
たとえばPCIのホットスワップ装置では、スイッチ２１５および２１６の結果をANDしてコントローラ２１７のスロット２１４に対するイネーブル信号を管理する端子に接続することによって検出し、スイッチ２１５または２１６が解放されている時はスロット２１４に対する活線挿抜のためのスイッチとして使用することができる。つまり、スイッチの結果を活線挿抜のイネーブル信号に使用する。例えば故障したカードを抜去り、代わって新しい正常のカードを挿入する場合に有効である。
【００３８】
以上の効果として、カードがスロットに正しく均等に奥まで実装されていることを検出することができる。また、活線挿抜機構を省スペースで実装することができる。
変形としては、実施例のカードに換わりピンを有するオスのコネクタを用いてもよい。
【図面の簡単な説明】
【００３９】
【図１】本発明による電子機器の実施例１の斜視図。
【図２】電子機器の実施例１の機能構成図。
【図３】電子機器の実施例１の電子機器内部の概略斜視図。
【図４】電子機器の実施例１の電子機器内部の断面図１。
【図５】電子機器の実施例１のスイッチの斜視図。
【図６】電子機器の実施例１の電子機器内部の断面図２。
【図７】電子機器の実施例１の電子機器内部の断面図３。
【図８】電子機器の実施例２の電子機器内部の機能ブロック図。
【符号の説明】
【００４０】
１０  コンピュータ
１３  キーボード（ＫＢ）
１７  ＬＣＤ
１１１  ＣＰＵ
１１３  主メモリ
１１４  グラフィクスコントローラ
１１４Ａ  ＶＲＡＭ
１１５  ソフト処理部
１１９  サウスブリッジ
１２０  ＢＩＯＳ
１２１  ハードディスク／光ディスクドライブ（ＨＤＤ／ＤＶＤ）
１２２  キャプチャーユニット
１２３  エンベデッドコントローラ／キーボードコントローラ（ＥＣ／ＫＢＣ）
２０１  基板
２０２  スロット
２０３  カード
２０４  スロット底部
２０５  スイッチ
２０６  スイッチ
２０７  カード接触部
２０９  スイッチ
２１４  スロット
２１５  スイッチ
２１６  スイッチ
２１７  コントローラ
【図１】
2007087072.tif 000003
【図２】
2007087072.tif 000004
【図３】
2007087072.tif 000005
【図４】
2007087072.tif 000006
【図５】
2007087072.tif 000007
【図６】
2007087072.tif 000008
【図７】
2007087072.tif 000009
【図８】
2007087072.tif 000010